(57)【要約】      （修正有）【課題】トイレ室の外観の悪化させることなくトイレキャビネットとトイレ室の壁面との間の空間への埃やゴミの進入を防止し、しかもトイレ室の空間の有効利用性を向上させるトイレキャビネットを提供する。【解決手段】便器２０本体の後方のトイレ室の後側壁ＢＷに沿って設置されるトイレキャビネット1であって、便器本体の後部に載置される洗浄水供給手段の側面の左右少なくとも一方をカバーするカバー部材と、洗浄水供給手段とトイレ室の側壁ＬＷ、ＲＷの左右少なくとも一方との間に立設される縦フレームと、縦フレームの前面に固定され縦フレームと側壁との隙間を閉塞する第１目地材１４、１５と、カバー部材と側壁ＬＷ、ＲＷとの間に形成される収納空間の前面開口を前方から開閉する扉１２、１３と、を備え、扉１２、１３は、閉じたときに扉１２、１３の開閉回動の先端が第１目地材１４、１５と前後重複する位置関係である。【選択図】図１
2016189886.tif 000002
【特許請求の範囲】
【請求項１】
便器本体の後方のトイレ室の後側壁に沿って設置されるトイレキャビネットであって、
前記便器本体の後部に載置される洗浄水供給手段の側面の左右少なくとも一方をカバーするカバー部材と、
前記洗浄水供給手段と前記トイレ室の側壁の左右少なくとも一方との間に立設される縦フレームと、
前記縦フレームの前面に固定され前記縦フレームと前記側壁との隙間を閉塞する第１目地材と、
前記カバー部材と前記側壁との間に形成される収納空間の前面開口を前方から開閉する扉と、
を備え、
前記扉は、閉じたときに当該扉の開閉回動の先端が前記第１目地材と前後重複する位置関係であることを特徴とするトイレキャビネット。
【請求項２】
前記縦フレームは、前記洗浄水供給手段と前記トイレ室の右側壁との間の右収納空間に立設される右縦フレームと、前記洗浄水供給手段と前記トイレ室の左側壁との間の左収納空間に立設される左縦フレームと、を有し、
前記右縦フレームの上端と前記左縦フレームの上端とを連結する横フレームを更に備えることを特徴とする請求項１に記載のトイレキャビネット。
【請求項３】
前記洗浄水供給手段の上方を覆って本トイレキャビネットの上面を構成する上面板と、
前記横フレームの前面に固定され、前記横フレームと前記上面板との隙間を閉塞する第２目地材と、を更に備え、
前記扉は、閉じたときに上端が前記第２目地材と前後重複する位置関係であることを特徴とする請求項２に記載のトイレキャビネット。
【請求項４】
前記第１目地材は、表裏少なくとも一方に、上下方向に延びる多数の凹凸条が形成されている
請求項１〜請求項３の何れか１項に記載のトイレキャビネット。
【発明の詳細な説明】
【技術分野】
【０００１】
本発明は、トイレキャビネットに関する。
【背景技術】
【０００２】
従来、トイレ室の空間の有効利用を図るべく便器本体とトイレ室の後側壁との間に収納用のキャビネットを設ける技術が知られている（例えば特許文献１，２）。
【０００３】
特許文献１には、便器本体の後部上面に載置される洗浄タンクをカバーするキャビネットであって、キャビネットの左右の側面板と壁面との間に収納空間を形成し、左右の側面板に前記収納空間を開閉する扉を取り付けたことを特徴とする便器の扉付きキャビネットについて開示されている。このようなキャビネットを設けることにより、トイレ室の収納性が向上するため空間の有効性が向上するとともに、洗浄タンクが隠蔽されるため外観上の見栄えが良くなる。
【０００４】
また、特許文献２には、キャビネットの側面板に縦溝を形成し、裏面側に多数の縦方向の凹凸条が形成された間口調整部材を準備し、キャビネットの側面板と壁面との間の寸法に応じて前記いずれかの凹条の位置で切断し、当該凹条の底部に相当する部分を前記キャビネット側面板の縦溝へ嵌合装着したことを特徴とするキャビネットの間口調整構造について開示されている。これにより、建物の間取りや現場において異なるトイレ室の横幅寸法に応じて収納キャビネットと壁面との空間を埋めて、当該空間における埃やゴミなどの堆積を防止することができる。
【先行技術文献】
【特許文献】
【０００５】
【特許文献１】特開２００３−３３４１４８号公報
【特許文献２】特開２００３−３２８４２１号公報
【発明の概要】
【発明が解決しようとする課題】
【０００６】
ところで、建築躯体の壁面は理想的には垂直且つ平坦であるが、実際には傾きや凹凸を有する発生している可能性が高い。このため、上述した従来の技術では、キャビネットの側面板と壁面との間の隙間を目地材で完全に塞ぐことが出来ない場合があり、埃やゴミが進入したり外観も損ねたりする可能性があった。また上述した技術では、キャビネットの側面板とトイレ室の壁面との間の空間が活用されておらず、トイレ室の空間の有効利用性が低下しているという問題もあった。
【０００７】
本発明は、前記課題に鑑みてなされたもので、トイレ室の外観の悪化させることなくトイレキャビネットとトイレ室の壁面との間の空間への埃やゴミの進入を防止し、しかもトイレ室の空間の有効利用性を向上させることを目的とする。
【課題を解決するための手段】
【０００８】
本発明の態様の１つは、便器本体後方のトイレ室の後側壁に沿って設置されるトイレキャビネットであって、前記便器本体の後部に載置される洗浄水供給手段の側面の左右少なくとも一方をカバーするカバー部材と、前記洗浄水供給手段と前記トイレ室の側壁の左右少なくとも一方との間に立設される縦フレームと、前記縦フレームの前面に固定され前記縦フレームと前記側壁との隙間を閉塞する第１目地材と、前記カバー部材と前記側壁との間に形成される収納空間の前面開口を前方から開閉する扉と、を備え、前記扉は、閉じたときに当該扉の開閉回動の先端が前記第１目地材と前後重複する位置関係であることを特徴とするトイレキャビネットである。
【０００９】
このように構成したトイレキャビネットにおいては、縦フレームの前面に第１目地材を固定する構造を採用しているため、縦フレーム前面における第１目地材の固定位置を左右方向に容易に調整可能である。このため、第１目地材が当接するトイレ室側壁が歪み等の変形を有している場合にも、第１目地材の固定位置を左右方向に調整して第１目地材をトイレ室側壁に押圧密着させることができる。この結果、縦フレームとトイレ室側壁との間を隙間無く閉塞することが可能となり、第１目地材と側壁の隙間からの塵埃の侵入を防止し、加えてトイレキャビネット及びトイレ室の意匠性を向上できる。更に、縦フレーム前面に第１目地材を固定する構造を採用しているため、上述した特許文献２の技術のように目地材を嵌合装着するための側壁をトイレキャビネットに設ける必要が無い。このため、カバー部材側方に形成される収納空間をトイレ室の側壁まで連通させることが可能となる。すなわち、トイレキャビネット内の収納空間を拡大させ、トイレ室の空間の有効利用性を向上することができる。また、切断加工作業が容易な第１目地材でトイレ室の側壁付近のトイレキャビネット前面を構成しているため、第１目地材の幅寸法を切断加工等によって調整し、施工対象となるトイレ室の幅寸法のバラつきを第１目地材の幅寸法で吸収可能になる。これにより、扉のラインナップが１又は少数の幅寸法で済む。また、扉の開閉の軸をカバー部材寄りの位置に設ける場合、扉の開閉回動の先端が第１目地材の前面に位置することとなり、扉の開け閉め時に扉に手を掛けやすくなる。
【００１０】
本発明の選択的な態様の１つは、前記フレームは、前記洗浄水供給手段と前記トイレ室の右側壁との間の右収納空間の前端付近に立設される右縦フレームと、前記洗浄水供給手段と前記トイレ室の左側壁との間の左収納空間の前端付近に立設される左縦フレームと、を有し、前記右縦フレームの上端と前記左縦フレームの上端とを連結する横フレームを更に備えることを特徴とするトイレキャビネットである。
【００１１】
このように構成したトイレキャビネットにおいては、左縦フレームを左収納空間に立設し、右縦フレームを右収納空間に立設し、これら左縦フレームと右縦フレームの上端を横フレームで連結してあるため、トイレキャビネットの構造体としてのフレームの強度が向上する。
【００１２】
本発明の選択的な態様の１つは、前記洗浄水供給手段の上方を覆って本トイレキャビネットの上面を構成する上面板と、前記横フレームの前面に固定され、前記横フレームと前記上面板との隙間を閉塞する第２目地材と、を更に備え、前記扉は、閉じたときに上端が前記第２目地材と前後重複する位置関係であることを特徴とするトイレキャビネットである。
【００１３】
このように構成したトイレキャビネットにおいては、横フレームにも目地材を固定してあり、全体としてトイレキャビネットの左右及び上の縁部に沿って目地材が固定される構造となる。これにより、トイレキャビネット及びトイレ室の意匠性を向上できる。
【００１４】
本発明の選択的な態様の１つは、前記第１目地材は、表裏少なくとも一方に、上下方向に延びる多数の凹凸条が形成されているトイレキャビネットである。
【００１５】
このように構成したトイレキャビネットにおいては、第１目地材に上下方向に延びる凹凸条が形成されているため、この凹凸状に沿って第１目地材の幅寸法を切断加工等によって調整する作業が容易になる。
【００１６】
以上説明したトイレキャビネットは、他の機器に組み込まれた状態で実施されたり他の方法とともに実施されたりする等の各種の態様を含む。また、本発明は、トイレキャビネットを備えるトイレシステムとしても実現可能である。 
【発明の効果】
【００１７】
本発明によれば、縦フレームの前面に第１目地材を固定することにより、縦フレーム前面における第１目地材の固定位置を左右方向に容易に調整可能になっている。このため、第１目地材が当接するトイレ室側壁が歪み等の変形を有していたとしても、第１目地材の固定位置を左右方向に調整して、第１目地材をトイレ室側壁に押圧密着させることができる。この結果、縦フレームとトイレ室側壁との間を、隙間無く閉塞することができ、塵埃が第１目地材と側壁の隙間から侵入することを防止し、加えてトイレキャビネット及びトイレ室の意匠性を向上できる。更に、第１目地材を縦フレーム前面に固定する構造を採用してあるため、上述した特許文献２の技術のように目地材を嵌合装着するための側壁をトイレキャビネットに設ける必要が無い。このため、カバー部材側方に形成される収納空間をトイレ室の側壁まで連通させることが可能となり、トイレキャビネット内の収納空間が拡大し、トイレ室の空間の有効利用性が向上する。また、切断加工作業が容易な第１目地材でトイレ室の側壁付近のトイレキャビネット前面を構成しているため、第１目地材の幅寸法を切断加工等によって調整し、施工対象となるトイレ室の幅寸法のバラつきを第１目地材の幅寸法で吸収可能になる。これにより、扉を１又は少数の幅寸法でラインナップすることが可能である。また、扉の開閉の軸をカバー部材寄りの位置に設ける場合、扉の開閉回動の先端が第１目地材の前面に位置することとなり、扉の開け閉め時に扉に手を掛けやすくなる。
【００１８】
請求項２にかかる発明によれば、左縦フレームを左収納空間に立設し、右縦フレームを右収納空間に立設し、これら左縦フレームと右縦フレームの上端を横フレームで連結してあるため、トイレキャビネットの構造体としてのフレームの強度が向上する。
【００１９】
請求項３にかかる発明によれば、横フレームにも目地材を固定してあり、全体としてトイレキャビネットの左右及び上の縁部に沿って目地材が固定される構造となる。これにより、トイレキャビネット及びトイレ室の意匠性を向上できる。
【００２０】
請求項４にかかる発明によれば、第１目地材に上下方向に延びる凹凸条が形成されているため、この凹凸状に沿って第１目地材の幅寸法を切断加工等によって調整する作業が容易になる。
【図面の簡単な説明】
【００２１】
【図１】トイレキャビネットを設置したトイレ室の一例を示す斜視図である。
【図２】トイレキャビネットを設置したトイレ室の一例を示す正面図である。
【図３】トイレキャビネットのフレームを説明する図である。
【図４】フレームに目地材を取り付けた状態を説明する図である。
【図５】フレームに取り付ける目地材を拡大して示した図である。
【図６】トイレキャビネットとトイレ装置との位置関係を示す図である。
【図７】目地材近辺の部材の前後方向における位置関係を模式的に示した図である。
【発明を実施するための形態】
【００２２】
以下、図面を参照しつつ、本発明の一実施形態について説明する。
【００２３】
図１〜図４はトイレキャビネットを設置したトイレ室の一例を説明する図である。図５はフレームに取り付ける目地材を拡大して示した図である。図６はトイレキャビネットとトイレ装置との位置関係を示す図である。図６（ａ）には左目地材の近辺、図６（ｂ）には右目地材の近辺を示してある。図７はトイレキャビネットを設置したトイレ室の一例を示す正面図である。なお、図２〜図４には、段階的にトイレ室の部材を取り除いた状態を示してある
【００２４】
トイレキャビネット１は、トイレ室ＴＲのトイレ装置２の後方において後側壁ＢＷに沿って設置されており、左右少なくとも一方の端がトイレ室ＴＲの側壁（左側壁ＬＷ、右側壁ＲＷ）に突き当て状に設置されている。本明細書に添付する図面においては、トイレキャビネット１の左端がトイレ室ＴＲの左側壁ＬＷに突き当て状に設けられ、トイレキャビネット１の右端がトイレ室ＴＲの右側壁ＲＷに突き当て状に設けられた状態を示してある。
【００２５】
トイレ装置２は、洋式腰掛便器２０（以下、単に便器２０とする）と、便器２０の上に一体的に固定された便座装置２１と、便器２０の後部に載置された洗浄水タンク２２と、を有する。なお、本実施形態では、便器２０へ洗浄水を供給する洗浄水供給手段として洗浄水タンク２２を例にとり説明を行うが、これに限るものではなく、例えば、洗浄水供給手段は水道からの水を供給するバルブユニット等であってもよい。
【００２６】
便器２０は、ボウル部２０１を有する。ボウル部２０１は、便器２０の上部に設けられる。ボウル部２０１は、便器２０の上面２０ａから下方へ凹んだ凹状に形成されている。ボウル部２０１は、使用者が排泄した汚物や尿などを受ける。また、ボウル部２０１の内部には水が貯留されており、便器２０に接続された排水管から悪臭や害虫類などが室内へ逆流することを防止する。
【００２７】
便座装置２１は、ケーシング２１１、便座２１２、及び、便蓋２１３を有する。便座２１２と便蓋２１３は、ケーシング２１１に対して軸支されている。便座２１２は、ボウル部２０１の上縁に沿って配置された閉状態と、ボウル部２０１の上縁に対して略垂直に配置された開状態との間で、ケーシング２１１に対する軸を回転の中心として回動自在になっている。同様に、便蓋２１３も、ボウル部２０１の上縁に沿って便座２１２の上に配置された閉状態と、ボウル部２０１の上縁に対して略垂直に配置された開状態との間で、ケーシング２１１に対する軸を回転の中心として回動自在になっている。なお、便蓋２１３は必ずしも設けなくともよい。
【００２８】
図１、図２に示すように、トイレ装置２の便座装置２１より後方であってトイレ装置２の洗浄水タンク２２よりも前方に、トイレキャビネット１の前面中央部分の外観を構成する中央前面板１１が設けられる。これにより、中央前面板１１が便座装置２１と洗浄水タンク２２の間を仕切る形となり、便座装置２１はトイレキャビネット１の外に露出し、洗浄水タンク２２はトイレキャビネット１内に隠蔽収納される。
【００２９】
トイレキャビネット１内には、洗浄水タンク２２をトイレ室ＴＲの床Ｆに対して支持するコアキャビネット３が設けられる。コアキャビネット３は、洗浄水タンク２２を左方から覆う左側面板３１と、洗浄水タンク２２を右方から覆う右側面板３２と、洗浄水タンク２２を床Ｆに対して支持する枠部３３と、を有する。
【００３０】
コアキャビネット３の前面には、中央前面板１１が洗浄水タンク２２を前方から覆うように固定されている。これら左側面板３１、右側面板３２及び中央前面板１１は、洗浄水タンク２２の前方、左方及び右方を遮蔽することになり、全体として、洗浄水タンク２２の前方及び左右側方をカバーするカバー部材を構成する。
【００３１】
トイレキャビネット１の前面の中央前面板１１の左右両側には、左扉パネル１２、右扉パネル１３がそれぞれ設けられる。左扉パネル１２は、トイレキャビネット１の左収納空間ＬＳの前面開口を開閉自在に設けられ、右扉パネル１３は、トイレキャビネット１の右収納空間ＲＳの前面開口を開閉自在に設けられる。中央前面板１１と左扉パネル１２と右扉パネル１３は、その前面が略同一平面上に位置するように設けられる。これにより、トイレキャビネット１の前面の外観に一体性が生じ、トイレ室ＴＲ後方の外観が向上する。
【００３２】
左扉パネル１２とトイレ室ＴＲの左側壁ＬＷとの間には、図７に示すように、一定の隙間ＬＲを有し、右扉パネル１３とトイレ室ＴＲの右側壁ＲＷとの間にも一定の隙間ＲＲを有する。隙間ＬＲの奥方の左収納空間ＬＳは左目地材１４により遮蔽され、隙間ＲＲの奥方の右収納空間ＲＳは右目地材１５により遮蔽される。左目地材１４と右目地材１５は、弾性を有する可撓性部材にて形成される。これら左目地材１４と右目地材１５が、本実施形態において第１目地材を構成する。
【００３３】
左目地材１４は、左扉パネル１２の後方に位置するように設けてあり、右目地材１５は、右扉パネル１３の後方に位置するように設けてある。そして、左扉パネル１２及び右扉パネル１３は、トイレキャビネット１の前方に開閉軌道を有する外開き方式であり、左扉パネル１２の開閉の軸３６，３７及び右扉パネル１３の開閉の軸３８，３９は、トイレ室ＴＲの側壁に近い側以外の端部に設けられる。本実施形態においては、左扉パネル１２の開閉の軸３６，３７はトイレ装置２寄りの右端に設けられており、右扉パネル１３の開閉の軸３８，３９はトイレ装置２寄りの左端に設けられている。このため、左扉パネル１２の開閉時に左扉パネル１２と左目地材１４が干渉せず、右扉パネル１３の開閉時に右扉パネル１３と右目地材１５が干渉せずに済む。また、左目地材１４及び右目地材１５並びに左扉パネル１２及び右扉パネル１３の施工が容易になる。
【００３４】
図５に示すように、右目地材１５の裏面には、上下方向に延びる多数の凹凸条１５１が形成されている。なお、同図には、右目地材１５の裏面に凹凸条１５１を形成した場合を示したが、右目地材１５の表面に凹凸条を形成してもよく、左目地材１４の表面や裏面にも同様の凹凸条を形成してもよい。目地材の表裏少なくとも一方に上下方向に延びる多数の凹凸条を形成することにより、凹凸条に沿う目地材のカットが容易になる。これにより、トイレ室ＴＲの幅に応じて目地材の幅を調整する作業が容易になる。
【００３５】
また、同図に示す右目地材１５は、右扉パネル１３側の左端奥方を略９０°屈曲形成した折返部１５２を有する。右目地材１５の折返部１５２はトイレキャビネット１の右収納空間ＲＳの前面開口の右縁部を構成しており、右目地材１５に折返部１５２を設けることにより右収納空間ＲＳの前面開口の右縁部が補強される。なお、左目地材１４についても、同様に折り返し部を設けてトイレキャビネット１の左収納空間ＬＳの前面開口の左縁部を補強できる。
【００３６】
左目地材１４の裏側には、トイレキャビネット１の左縦フレーム５１が配設され、右目地材１５の裏側には、トイレキャビネット１の右縦フレーム５２が配設されている。すなわち、左縦フレーム５１の前方を左目地材１４が遮蔽し、右縦フレーム５２の前方を右目地材１５が遮蔽している。左縦フレーム５１は下端の固定部５１１をネジ等でトイレ室ＴＲの床Ｆに固定されており、右縦フレーム５２も下端の固定部５２１をネジ等でトイレ室ＴＲの床Ｆに固定されている。
【００３７】
左目地材１４の前方には左扉パネル１２が位置し、右目地材１５の前方には右扉パネル１３が位置している。左目地材１４は、その左端がトイレ室ＴＲの左側壁ＬＷに密着し、その右端が左扉パネル１２の左端１２１よりもやや右方まで延びるように配設されている。同様に、右目地材１５は、その右端がトイレ室ＴＲの右側壁ＲＷに密着し、その左端が右扉パネル１３の右端１３１よりもやや左方まで延びるように配設されている。
【００３８】
このため、左目地材１４は、閉じた状態の左扉パネル１２と、一定範囲が前後重複し、トイレキャビネット１の左収納空間ＬＳの前面開口の左縁部に隙間が生じないように左扉パネル１２が確実に遮蔽することができる。同様に、右目地材１５も、閉じた状態の右扉パネル１３と、一定範囲が前後重複し、トイレキャビネット１の右収納空間ＲＳの前面開口の右縁部に隙間が生じないように右扉パネル１３が確実に遮蔽することができる。
【００３９】
左収容空間ＬＳは、左縦フレーム５１の後方を左右に連通しており、右収納空間ＲＳは、右縦フレーム５２の後方を左右に連通している。すなわち、トイレキャビネット１の左端の構造材を構成する左縦フレーム５１が左収納空間ＬＳの左端を閉塞せず、左収納空間ＬＳが左縦フレーム５１の後方を通って左方向に拡張されている。同様に、トイレキャビネット１の右端の構造材を構成する右縦フレーム５２が右収納空間ＲＳの右端を閉塞せず、右収納空間ＲＳが右縦フレーム５２の後方を通って右方向に拡張されている。これにより、トイレキャビネット１の左収納空間ＬＳや右収納空間ＲＳの収容空間を広く確保でき、トイレ室ＴＲの空間の有効利用性が向上する。
【００４０】
左縦フレーム５１は、その上端から後方へ左縦フレーム５１の延びる方向と略直角方向に延びる左前後フレーム５３が連結されている。同様に、右縦フレーム５２は、その上端から後方へ右縦フレーム５２の延びる方向と略直角方向に延びる右前後フレーム５４が連結されている。
【００４１】
左前後フレーム５３及び右前後フレーム５４は、その後端がトイレ室ＴＲの後側壁ＢＷに当接している。このため、左縦フレーム５１の立設位置がトイレ室ＴＲの後側壁ＢＷから左前後フレーム５３の長さによって規定され、右縦フレーム５２の立設位置はトイレ室ＴＲの後側壁ＢＷから左前後フレーム５３の長さによって規定される。左前後フレーム５３はネジなどにより左側壁ＬＷに固定され、右前後フレーム５４もネジ等により右側壁ＲＷに固定される。
【００４２】
左縦フレーム５１の上端と右縦フレーム５２は、左右方向に延びる横フレーム５５によって連結されている。これにより、左縦フレーム５１と右縦フレーム５２が一体化し、トイレキャビネット１の構造材の強度が向上する。横フレーム５５の前面側には上目地材１６が配設されている。本実施形態においては、この上目地材１６が第２目地材を構成する。
【００４３】
横フレーム５５は上目地材１６の背面側に位置しており、上目地材１６によってトイレ室ＴＲから遮蔽される。上目地材１６は、左目地材１４や右目地材１５と同一の材料又は外観がほぼ同一の材料で形成されており、前面が左目地材１４や右目地材１５と略同一面上にあり、左端が左目地材１４まで延び、右端が右目地材１５まで延びている。
【００４４】
左扉パネル１２及び右扉パネル１３は、閉じたときに上目地材１６の前面側に当接する。中央前面板１１も、上目地材１６の前面側に当接する。このため、左扉パネル１２、右扉パネル１３、及び中央前面板１１は、同一の材料又は外観がほぼ同一の材料で形成された上目地材１６、左目地材１４、右目地材１５によって上及び左右を囲われる。これにより、トイレキャビネット１前面の意匠的な統一感が実現される。
【００４５】
横フレーム５５は、その左右方向長さを伸縮するスライド機構を有している。図４に示す例では、横フレーム５５の左端付近に左スライド５５１を有し、右端付近に右スライド５５２を有している。
【００４６】
これにより、左縦フレーム５１及び右縦フレーム５２の立設位置をトイレ室ＴＲの左右幅に応じて様々に調整することができる。また、横フレーム５５の伸縮調整と、目地材をカットすることで行う左目地材１４と右目地材１５の幅調整とを組み合わせることにより、本実施形態に係るトイレキャビネット１を施工可能なトイレ室ＴＲの左右幅のバリエーションが更に広がる。
【００４７】
左縦フレーム５１と右縦フレーム５２の上には、上面板１０が略水平な状態で載置固定される。本実施形態においては、左前後フレーム５３、右前後フレーム５４及び横フレーム５５が左縦フレーム５１と右縦フレーム５２の上端と略同じ高さでフレーム５０を形成しているため、これら左前後フレーム５３、右前後フレーム５４及び横フレーム５５の上にも上面板１０が載置される。なお、上面板１０は、必要に応じてトイレ室ＴＲの後側壁ＢＷに固定されてもよく、例えば、上面板１０の下面に固定された固定部と、後側壁ＢＷに固定された固定部と、の間を回動軸を介して連結した蝶番部材で後側壁ＢＷに固定してもよい。この場合、トイレキャビネット１の上面において上面板１０が開閉自在となる。
【００４８】
なお、左縦フレーム５１の左側面は、下端から一定範囲に切欠５１２が設けられており、左側面下端部が右方にオフセットしている。これにより、トイレ室ＴＲの左側壁ＬＷの下部に巾木ＬＢが設けられている場合にも左縦フレーム５１を左側壁ＬＷに可能な限り寄せて配置することができる。同様に、右縦フレーム５２の右側面にも、下端から一定範囲に切欠５２２が設けられており、右側面下端部が左方にオフセットしている。これにより、トイレ室ＴＲの右側壁ＲＷの下部に巾木ＲＢが設けられている場合にも右縦フレーム５２を右側壁ＲＷに寄せて配置することができる。
【００４９】
以上説明した本実施形態に係るトイレキャビネット１によれば、左縦フレーム５１の前面に左目地材１４を固定し、右縦フレーム５２の前面に右目地材１５を固定する構造を採用しているため、左縦フレーム５１の前面における左目地材１４の固定位置及び右縦フレーム５２の前面における右目地材１５の固定位置を左右方向に容易に調整可能である。このため、左目地材１４が当接する左側壁ＬＷや右目地材１５が当接する右側壁ＲＷが歪み等の変形を有している場合にも、左目地材１４や右目地材１５の固定位置を左右方向に調整して、左目地材１４を左側壁ＬＷに押圧密着させ、右目地材１５を右側壁ＲＷに押圧密着させることができる。この結果、左縦フレーム５１と左側壁ＬＷとの間及び右縦フレーム５２と右側壁ＲＷとの間を隙間無く閉塞することが可能となり、左目地材１４と左側壁ＬＷの隙間からの塵埃の侵入及び右目地材１５と右側壁ＲＷの隙間からの塵埃の侵入を防止し、加えてトイレキャビネット１及びトイレ室ＴＲの意匠性を向上できる。
【００５０】
更に、左縦フレーム５１の前面に左目地材１４を固定し、右縦フレーム５２の前面に右目地材１５を固定する構造を採用しているため、目地材を嵌合装着するための側壁をトイレキャビネット１に設ける必要が無い。このため、左側面板３１の左方に形成される左収納空間ＬＷを左側壁ＬＷまで連通させることが可能となり、右側面板３２の右方に形成される右収納空間ＲＷを右側壁ＲＷまで連通させることが可能となる。すなわち、トイレキャビネット１内の収納空間を拡大させ、トイレ室ＴＲの空間の有効利用性を向上することができる。
【００５１】
また、切断加工作業が容易な左目地材１４及び右目地材１５でトイレ室ＴＲの右側壁ＲＷや左側壁ＬＷ付近のトイレキャビネット１の前面を構成しているため、左目地材１４及び右目地材１５の幅寸法を切断加工等によって調整し、施工対象となるトイレ室ＴＲの幅寸法のバラつきを左目地材１４及び右目地材１５の幅寸法で吸収可能になる。これにより、左扉パネル１２及び右扉パネル１３のラインナップが１又は少数の幅寸法で済む。
【００５２】
また、左扉パネル１２の開閉の軸３６，３７を左側面板３１寄りの位置に設け、右扉パネル１３の開閉の軸３８，３９を右側面板３２寄りの位置に設ける場合、左扉パネル１２の開閉回動の先端となる左端１２１が左目地材１４の前面に位置し、右扉パネル１３の開閉回動の先端となる右端１３１が右目地材１５の前面に位置することとなり、左扉パネル１２及び右扉パネル１３の開け閉め時に扉に手を掛けやすくなる。
【００５３】
また、本実施形態に係るトイレキャビネット１においては、左縦フレーム５１を左収納空間ＬＳに立設し、右縦フレーム５２を右収納空間ＲＳに立設し、これら左縦フレーム５１と右縦フレーム５２の上端を横フレーム５５で連結してあるため、トイレキャビネット１の構造体としてのフレーム５０の強度が向上する。
【００５４】
また、本実施形態に係るトイレキャビネット１においては、横フレーム５５に上目地材１６を固定してあり、全体としてトイレキャビネット１の左右及び上の縁部に沿って目地材が固定される構造となる。これにより、トイレキャビネット１及びトイレ室ＴＲの意匠性を向上できる。
【００５５】
また、本実施形態に係るトイレキャビネット１においては、左目地材１４及び右目地材１５の表面と裏面の少なくとも一方に上下方向に延びる凹凸条が形成されているため、この凹凸状に沿って左目地材１４及び右目地材１５の幅寸法を切断加工等によって調整する作業が容易になる。
【００５６】
なお、本発明は上述した実施形態や変形例に限られず、上述した実施形態および変形例の中で開示した各構成を相互に置換したり組み合わせを変更したりした構成、公知技術並びに上述した実施形態および変形例の中で開示した各構成を相互に置換したり組み合わせを変更したりした構成、等も含まれる。また，本発明の技術的範囲は上述した実施形態に限定されず，特許請求の範囲に記載された事項とその均等物まで及ぶものである。
【符号の説明】
【００５７】
１…トイレキャビネット、２…トイレ装置、２０…洋式腰掛便器（便器）、２０ａ…上面、２１…便座装置、２２…洗浄水タンク、２０１…ボウル部、２１１…ケーシング、２１２…便座、２１３…便蓋、１…トイレキャビネット、１０…上面板、１１…中央前面板、１２…左扉パネル、１２１…左端、１３…右扉パネル、１３１…右端、１４…左目地材、１５…右目地材、１５１…凹凸条、１５２…折返部、１６…上目地材、３…コアキャビネット、３１…左側面板、３２…右側面板、３３…枠部、３４…左前角部、３５…右前角部、３６…軸、３７…軸、３６１…ヒンジ、３７１…ヒンジ、３８…軸、３９…軸、３８１…ヒンジ、３９１…ヒンジ、５０…フレーム、５１…左縦フレーム、５１２…切欠、５２…右縦フレーム、５２１…固定部、５２２…切欠、５３…左前後フレーム、５４…右前後フレーム、５５…横フレーム、５５１…左スライド、５５２…右スライド、ＢＷ…後側壁、Ｆ…床、ＬＢ…巾木、ＬＷ…左側壁、ＬＳ…左収納空間、ＲＢ…巾木、ＲＷ…右側壁、ＲＳ…右収納空間、ＴＲ…トイレ室
【図１】
2016189886.tif 000003
【図２】
2016189886.tif 000004
【図３】
2016189886.tif 000005
【図４】
2016189886.tif 000006
【図５】
2016189886.tif 000007
【図６】
2016189886.tif 000008
【図７】
2016189886.tif 000009